【手続補正書】
【提出日】平成14年4月16日(2002.4.16)
【手続補正１】
【補正対象書類名】明細書
【補正対象項目名】特許請求の範囲
【補正方法】変更
【補正の内容】
【特許請求の範囲】
【請求項１】
生体試料の少なくとも１つのパラメータを測定する方法であって、
（ａ）前記生体試料の温度を、前記生体試料の生理学的温度範囲内である第１の温度に設定するステップと、
（ｂ）前記第１の温度で前記生体試料の光学測定を行うステップと、
（ｃ）前記生体試料内の第１の深さに対応する第１の温度で、前記生体試料の少なくとも１つの光学パラメータを判定するステップと、
（ｄ）前記生体試料の前記第１の温度を、前記生体試料の生理学的温度範囲内である少なくとも第２の温度に変えるステップと、
（ｅ）前記少なくとも第２の温度で前記生体試料の前記光学測定を行うステップと、
（ｆ）前記生体試料内の第２の深さに対応する少なくとも第２の温度で、前記生体試料の少なくとも１つの光学パラメータを判定するステップと、
（ｇ）前記生体試料の深さに関する前記少なくとも１つの光学パラメータの関数関係から、前記生体試料の前記少なくとも１つのパラメータを判定するステップとを含む方法。
【請求項２】
複数の層を有する生体試料の少なくとも１つのパラメータを測定する方法であって、
（ａ）前記生体試料の温度を、前記生体試料の生理学的温度範囲内である第１の温度に設定するステップと、
（ｂ）前記第１の温度で前記生体試料の光学測定を行うステップと、
（ｃ）前記生体試料の第１の層の少なくとも１つの光学パラメータを判定するステップで、前記第１の層が前記生体試料の第１の深さに位置し、前記第１の温度が前記生体試料の第１の深さに対応するステップと、
（ｄ）前記生体試料の前記第１の温度を、前記生体試料の前記生理学的温度範囲内である少なくとも第２の温度に変えるステップと、
（ｅ）前記少なくとも第２の温度で前記生体試料の前記光学測定を行うステップと、
（ｆ）前記生体試料の少なくとも第２の層の前記少なくとも１つの光学パラメータを判定するステップで、前記少なくとも第２の層が前記生体試料の少なくとも第２の深さに位置し、前記少なくとも第２の温度が前記生体試料の前記第２の深さに対応するステップと、
（ｇ）前記生体試料の深さに関する前記少なくとも１つの光学パラメータの関数依存性から、前記生体試料の少なくとも１つのパラメータを判定するステップとを含む方法。
【請求項３】
前記生体試料の前記温度変化により、前記生体試料内の光浸透深さが変化する、請求項１または２に記載の方法。
【請求項４】
前記光学測定が拡散反射率測定である、請求項１または２に記載の方法。
【請求項５】
前記光学測定が空間分解拡散反射率測定である、請求項１または２に記載の方法。
【請求項６】
前記光学測定が周波数領域測定である、請求項１または２に記載の方法。
【請求項７】
前記拡散反射率測定が単一の試料採取距離で行われる、請求項４に記載の方法。
【請求項８】
前記第１の温度と前記少なくとも第２の温度とが、約０℃〜約４５℃の範囲内である、請求項１または２に記載の方法。
【請求項９】
前記第１の温度と前記少なくとも第２の温度とが、約１５℃〜約４５℃の範囲内である、請求項１または２に記載の方法。
【請求項１０】
前記光学測定が、約４００ｎｍ〜約２５００ｎｍの範囲内の少なくとも１つの波長の光を使用して行われる、請求項１または２に記載の方法。
【請求項１１】
前記光学測定が、約６００ｎｍ〜約１３００ｎｍの範囲内の少なくとも１つの波長の光を使用して行われる、請求項１または２に記載の方法。
【請求項１２】
前記生体試料の前記少なくとも１つのパラメータが、分析物の濃度である、請求項１または２に記載の方法。
【請求項１３】
前記分析物が、グルコース、ヘモグロビン、または水である、請求項１２に記載の方法。
【請求項１４】
前記少なくとも１つの光学パラメータが、吸収係数、散乱係数、平均自由行程、有効減衰係数、または光浸透の深さである、請求項１または２に記載の方法。
【請求項１５】
前記生体試料が、切除した組織または生検試料である、請求項１または２に記載の方法。
【請求項１６】
前記生体試料が人の身体部分である、請求項１または２に記載の方法。
【請求項１７】
前記生体試料が、無傷の人の皮膚、食道組織、腸組織、または子宮組織である、請求項１または２に記載の方法。
【請求項１８】
前記生体試料の前記少なくとも１つのパラメータが、病状を示すパラメータである、請求項１または２に記載の方法。
【請求項１９】
前記病状が、糖尿病の状態、血管疾患の状態、皮膚疾患の状態、または新生物疾患の状態である、請求項１８に記載の方法。
【請求項２０】
生体試料の少なくとも１つの光学パラメータを測定する装置であって、
（ａ）前記生体試料の領域に光を照射する手段と、
（ｂ）前記生体試料の領域から再射出された光を捕集する手段と、
（ｃ）放射が前記生体試料の特定の深さまで浸透するように、前記生体試料の温度を、前記生体試料の生理学的範囲内の温度に変える手段と、
（ｄ）捕集された再射出光の強度を、複数の温度で測定する手段であって、測定された強度が、前記生体試料の異なる深さから再射出された光に対応する手段と、
（ｅ）前記生体試料の深さに関する少なくとも１つの光学パラメータの依存性から、前記生体試料の少なくとも１つのパラメータを計算する手段と
を含む装置。
【請求項２１】
前記生体試料の前記温度変化により、前記生体試料内の光浸透の深さが変化する、請求項２０に記載の装置。
【請求項２２】
前記捕集された再射出光の前記強度を使用して、前記生体試料の拡散反射率を判定する、請求項２０に記載の装置。
【請求項２３】
前記捕集された再射出光の前記強度を使用して、前記生体試料の空間分解拡散反射率を判定する、請求項２０に記載の装置。
【請求項２４】
前記捕集された再射出光の前記強度を使用して、前記生体試料の周波数領域測定を判定する、請求項２０に記載の装置。
【請求項２５】
前記捕集された再射出光の前記強度が単一の試料採取距離で判定される、請求項２０に記載の装置。
【請求項２６】
前記温度が約０℃〜約４５℃である、請求項２０に記載の装置。
【請求項２７】
前記試料に照射するために使用される前記光が、約４００ｎｍ〜約２５００ｎｍの少なくとも１つの波長を有する、請求項２０に記載の装置。
【請求項２８】
前記試料に照射するために使用される前記光が、約６００ｎｍ〜約１３００ｎｍの少なくとも１つの波長を有する、請求項２０に記載の装置。
【請求項２９】
前記生体試料の前記少なくとも１つのパラメータが、分析物の濃度である、請求項２０に記載の装置。
【請求項３０】
前記分析物が、グルコース、ヘモグロビン、および水で構成される群から選択される、請求項２９に記載の装置。
【請求項３１】
前記少なくとも１つの光学パラメータが、吸収係数、散乱係数、平均自由行程、有効減衰係数、または光浸透の深さで構成される群から選択される、請求項２０に記載の装置。
【請求項３２】
前記生体試料が、無傷の人の皮膚、食道組織、腸組織、または子宮組織で構成される群から選択される、請求項２０に記載の装置。
【請求項３３】
前記生体試料の前記少なくとも１つのパラメータが、病状の指標である、請求項２０に記載の装置。
【請求項３４】
前記病状が、糖尿病の状態、血管疾患の状態、皮膚疾患の状態、および新生物疾患の状態で構成される群から選択される、請求項２０に記載の装置。
【請求項３５】
前記照射手段および前記温度変更手段が内視鏡に含まれる、請求項２０に記載の装置。